(57)【要約】【課題】  無線通信端末が在圏セルの周波数を検出可能な状態になった時点で実行中であったバンドサーチで、在圏セルの周波数を検出できる可能性を高くできるバンドサーチ装置を提供する。【解決手段】  本発明のバンドサーチ装置は、バンドサーチを行うこととなった事象が生じたときに在圏していたセルの周波数若しくはバンドに基づき、そのセルに係る周波数の探索順序を遅い方に設定したスケジュールを決定する手段と、決定されたスケジュールに従って周波数を順番に変化させる手段とを有する。【選択図】      図３
2015201818.tif 000002
【特許請求の範囲】
【請求項１】
当該バンドサーチ装置を搭載した無線通信端末が在圏するセルで使用されている周波数を探索するバンドサーチ装置において、
バンドサーチを行うこととなった事象が生じたときに在圏していたセルの周波数関連情報に基づき、そのセルに係る周波数の探索順序を遅い方に設定したスケジュールを決定するスケジューリング手段と、
決定されたスケジュールに従って周波数を順番に変化させるサーチ周波数切替制御手段と
を有することを特徴とするバンドサーチ装置。
【請求項２】
上記無線通信端末が複数のバンド対応のものであり、
上記スケジューリング手段は、上記周波数関連情報として、在圏していたセルの周波数が属するバンドを適用し、そのバンドに属する周波数の探索が他のバンドに属する周波数の探索より遅くなるようにスケジュールを決定する
ことを特徴とした請求項１に記載のバンドサーチ装置。
【請求項３】
上記スケジューリング手段は、上記周波数関連情報として、在圏していたセルの周波数を適用し、在圏していたセルの周波数で最後に探索するようにスケジュールを決定することを特徴とした請求項１又は２に記載のバンドサーチ装置。
【請求項４】
バンドサーチ装置を搭載した無線通信端末が在圏するセルで使用されている周波数を探索するバンドサーチ方法において、
スケジューリング手段が、バンドサーチを行うこととなった事象が生じたときに在圏していたセルの周波数関連情報に基づき、そのセルに係る周波数の探索順序を遅い方に設定したスケジュールを決定し、
サーチ周波数切替制御手段が、決定されたスケジュールに従って周波数を順番に変化させる
ことを特徴とするバンドサーチ方法。
【請求項５】
バンドサーチ装置を搭載している無線通信端末において、
上記バンドサーチ装置として、請求項１〜３のいずれかに記載のバンドサーチ装置を適用したことを特徴とする無線通信端末。
【発明の詳細な説明】
【技術分野】
【０００１】
本発明はバンドサーチ装置及び方法、並びに、無線通信端末に関し、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；周波数分割多元接続）移動体通信システムにおける移動局に適用し得るものである。
【背景技術】
【０００２】
ＯＦＤＭ方式は、３．９Ｇ無線インタフェースの規格であるＬＴＥ（Ｌｏｎｇ  Ｔｅｒｍ  Ｅｖｏｌｕｔｉｏｎ）など、各種の規格に採用されている。ＯＦＤＭ移動体通信システムにおける移動局では、例えば、電源の立上げ時や圏外状態になったときには、パスロスが小さいセルを検出するセルサーチを行い、検出セルに係る基地局との間でパスを確立したりする。このようなセルサーチでは、まず最初に、在圏セルにおける下りチャネルで使用されている周波数を検出するバンドサーチ（周波数探索）を行い、閾値以上の受信レベルの周波数を有するセルを候補としてセルリストに追加し、その後、セルリスト内の周波数に係るセル候補から、実際に通信を実行するセルを決定することが行われる（特許文献１参照）。
【０００３】
移動局には、予め通信可能（ＵＥ  Ｃａｐａｂｉｌｉｔｙ）なバンド情報を設定してある。例えば、非特許文献１に記載のバンドＩ（以下、バンド１と呼ぶ）、バンドIII（以下、バンド３と呼ぶ）、バンドX  IX（以下、バンド１９と呼ぶ）に対応可能な移動局であれば、これら３つのバンドについて０．１ＭＨｚずつ切り替えた周波数でバンドサーチを行う。ここで、バンド１は２１１０ＭＨｚ〜２１６９．９ＭＨｚであり、０．１ＭＨｚずつ切り替えると、切替え周波数は６００個であり、バンド３は１８０５ＭＨｚ〜１８７９．９ＭＨｚであり、０．１ＭＨｚずつ切り替えると、切替え周波数は７５０個であり、バンド１９は８７５ＭＨｚ〜８８９．９ＭＨｚであり、０．１ＭＨｚずつ切り替えると、切替え周波数は１５０個である。
【０００４】
従来のバンドサーチ方法（第１の従来方法）は、バンド１、バンド３、バンド１９をバンド番号の昇順に切り替えると共に、各バンド内では、規定されてある変化単位分（上述した０．１ＭＨｚ）ずつ周波数を昇順に切り替える。そして、全ての周波数を探索した結果から、所定の閾値以上の周波数を、周辺基地局に係るセルの割当て周波数の候補として検出する。
【０００５】
以上のような周波数の単純な切替えではなく、電源オフ時若しくは圏外状態への移行時における在圏セルの周波数を最初に探索し、その後、この周波数以外の周波数を、上述したようなバンド及び周波数の昇順変化で切り替えるバンドサーチ方法（第２の従来方法）も提案されている（特許文献２の図６参照）。
【先行技術文献】
【特許文献】
【０００６】
【特許文献１】ＷＯ２０１４／０１６８７０
【特許文献２】特開２００７−２００４９
【非特許文献】
【０００７】
【非特許文献１】３ＧＰＰ  ＴＳ３６．１０１
【発明の概要】
【発明が解決しようとする課題】
【０００８】
しかしながら、上述した第１及び第２の従来方法では、バンドサーチを開始し、移動局が在圏（実存）するセルの周波数をサーチした後に、その実存するセルが見える（検出可能な）状態となった場合では、今回の一連のバンドサーチでは検出できず、一定時間後に再開する次回のバンドサーチでようやく検出できることもしばしば発生するという課題がある。このような場合には、在圏するセルの周波数を検出するまでの時間が長くなってしまう。
【０００９】
図１０は、このような課題の説明図であり、第１の従来方法を適用している場合を示している。なお、図１０におけるトンネルＴＮは、基地局が設けられていないトンネルである。
【００１０】
移動局ＭＶがトンネルＴＮに入ることで圏外になると、圏外になった時点ｔ１から所定時間後にバンドサーチ（１回目のバンドサーチ）ＢＳ１を開始する。この開始時点ｔ２では移動局ＭＶがトンネルＴＮ内であり、開始時点から、移動局ＭＶがトンネルＴＮを出る近傍の位置Ｐ１に位置する時点ｔ４までは、基地局からの電波が届かないとする。このような基地局からの電波が届かない状況（時点ｔ３前後）で、在圏（実存）するセルの周波数（例えば、バンド１の２１４０ＭＨｚ）をサーチしても、十分な受信レベルを得ることができない。そのため、１回目のバンドサーチ終了時点ｔ５から、所定時間経過した時点ｔ６から、２回目のバンドサーチが開始され、サーチ周波数が、在圏（実存）するセルの周波数（例えば、バンド１の２１４０ＭＨｚ）になったとき（時点ｔ７前後）には、十分な受信レベルが得られ、２回目のバンドサーチが終了した時点ｔ８で、在圏するセルの周波数が検出される。
【００１１】
利用者からすると、トンネルＴＮを出ると、圏内となってほしい（アンテナのピクト表示が出てほしい）が、図２の例では、２回目のバンドサーチが終了するまで圏内となることはなく、トンネルで出たときに実行中であった１回目のバンドサーチが無駄になっている。
【００１２】
なお、第２の従来方法は、在圏していたセルの周波数を最初にサーチする方法であり、在圏していたセルの周波数が、移動局ＭＶがトンネルＴＮを出た位置でのセルの周波数と同じ場合には、上述したと同様な課題が生じる。
【００１３】
そのため、端末が周波数を検出可能な状態になったときに実行中であったバンドサーチで、在圏するセルの周波数を検出できる可能性を高くできるバンドサーチ装置及び方法、並びに、無線通信端末が望まれている。
【課題を解決するための手段】
【００１４】
かかる課題を解決するため、第１の本発明は、当該バンドサーチ装置を搭載した無線通信端末が在圏するセルで使用されている周波数を探索するバンドサーチ装置において、（１）バンドサーチを行うこととなった事象が生じたときに在圏していたセルの周波数関連情報に基づき、そのセルに係る周波数の探索順序を遅い方に設定したスケジュールを決定するスケジューリング手段と、（２）決定されたスケジュールに従って周波数を順番に変化させるサーチ周波数切替制御手段とを有することを特徴とする。
【００１５】
第２の本発明は、バンドサーチ装置を搭載した無線通信端末が在圏するセルで使用されている周波数を探索するバンドサーチ方法において、（１）スケジューリング手段が、バンドサーチを行うこととなった事象が生じたときに在圏していたセルの周波数関連情報に基づき、そのセルに係る周波数の探索順序を遅い方に設定したスケジュールを決定し、（２）サーチ周波数切替制御手段が、決定されたスケジュールに従って周波数を順番に変化させることを特徴とする。
【００１６】
第３の本発明は、バンドサーチ装置を搭載している無線通信端末において、上記バンドサーチ装置として、第１の本発明のバンドサーチ装置を適用したことを特徴とする。
【発明の効果】
【００１７】
本発明によれば、端末が周波数を検出可能な状態になったときに実行中であったバンドサーチで、在圏するセルの周波数を検出できる可能性を高くすることができる。
【図面の簡単な説明】
【００１８】
【図１】第１の実施形態のバンドサーチ装置を含む移動局（無線通信端末）の要部構成を示すブロック図である。
【図２】第１の実施形態の移動局における直前在圏セル情報の格納動作を示すフローチャートである。
【図３】第１の実施形態の移動局におけるバンドサーチ動作を示すフローチャートである。
【図４】第１の実施形態によるバンドサーチ方法の効果の説明図である。
【図５】第２の実施形態の移動局における直前在圏セル情報の格納動作を示すフローチャートである。
【図６】第２の実施形態の移動局におけるバンドサーチ動作を示すフローチャートである。
【図７】第２の実施形態によるバンドサーチ方法の効果の説明図である。
【図８】第３の実施形態の移動局における直前在圏セル情報の格納動作を示すフローチャートである。
【図９】第３の実施形態の移動局における直前在圏セル情報の格納動作を示すフローチャートである。
【図１０】従来のバンドサーチ方法の課題の説明図である。
【発明を実施するための形態】
【００１９】
（Ａ）第１の実施形態
以下、本発明によるバンドサーチ装置及び方法、並びに、無線通信端末の第１の実施形態を、図面を参照しながら詳述する。第１の実施形態の移動局（無線通信端末）は、例えば、ＬＴＥに従うＯＦＤＭ移動体通信システムにおける移動局である。この移動局は、携帯電話端末、スマートフォン、タブレット端末などのいずれであっても良い。
【００２０】
（Ａ−１）第１の実施形態の構成
図１は、第１の実施形態のバンドサーチ装置を含む移動局（無線通信端末）の要部構成を示すブロック図である。図１は、バンドサーチ面から見た主要部を書き出している。
【００２１】
図１において、第１の実施形態に係る移動局１は、アンテナ２、受信回路選択スイッチ３、バンド１受信回路４、バンド３受信回路５、バンド１９受信回路６、バンドサーチ順制御部７及び記憶部８を有する。
【００２２】
アンテナ２は、図示しない基地局が送信したバンド１、バンド３、バンド１９に属するキャリア周波数を有する下りチャネル信号（無線信号）を捕捉するものである。図１では、アンテナ２が、全てのバンドに対応できるものを示したが、バンド１、バンド３、バンド１９毎に、別個のアンテナを備えていても良い。この場合には、受信回路選択スイッチ３が不要となる。また、１つのアンテナが２つのバンドに対応し、他の１つのアンテナが１つのバンドに対応するようにアンテナを設けるようにしても良い。この場合には、前者のアンテナが受信回路選択スイッチに接続されることとなる。
【００２３】
受信回路選択スイッチ３は、バンドサーチ順制御部７の制御下で、アンテナ１を、バンド１受信回路４、バンド３受信回路５及びバンド１９受信回路６のいずれかに接続し、アンテナ１が捕捉して得た受信信号（下りチャネル信号）を接続している受信回路に与えるものである。
【００２４】
バンド１受信回路４は、バンド１（２１１０ＭＨｚ〜２１６９．９ＭＨｚ）に属するキャリア周波数を有する受信信号を受信処理するものである。バンド１受信回路４は、バンドサーチ時には、バンドサーチ順制御部７から、受信処理する（バンドサーチする）受信信号のキャリア周波数が指示され、そのときの受信レベル（例えば、受信電界強度（ＲＳＳＩ））をバンドサーチ順制御部７へ与えるものである。
【００２５】
バンド１受信回路４は、例えば、バンド１を通過帯域とするバンドパスフィルタと、バンド１に属する周波数の局部発振信号を生成できる局部発振器と、バンドパスフィルタを通過した受信信号と局部発振信号を乗算するミキサ等を備え、ミキサからの出力信号における受信レベルを捉えて出力するものである。
【００２６】
バンド３受信回路５は、バンド３（１８０５ＭＨｚ〜１８７９．９ＭＨｚ）に属するキャリア周波数を有する受信信号を受信処理するものである。取扱うバンドは異なるが、バンド３受信回路５の機能や内部構成は、バンド１受信回路４とほぼ同様であり、その説明は省略する。
【００２７】
バンド１９受信回路６は、バンド１９（８７５ＭＨｚ〜８８９．９ＭＨｚ）に属するキャリア周波数を有する受信信号を受信処理するものである。取扱うバンドは異なるが、バンド１９受信回路６の機能や内部構成は、バンド１受信回路４とほぼ同様であり、その説明は省略する。
【００２８】
バンドサーチ順制御部７は、バンドサーチ時におけるバンドの切替え順序や周波数の切替え順序等を制御するものである。バンドサーチ順制御部７は、上述した制御を行うために、当該移動局１の電源がオフ操作されたときや圏外状態に遷移したときに、その時点で在圏（実存）しているセルに関する情報（直前在圏セル情報）を記憶部８に記憶させるものである。第１の実施形態の場合、直前在圏セル情報は、その時点で在圏しているセルからの下りチャネル信号の周波数が属するバンドの情報である。バンドサーチ順制御部７は、直前在圏セル情報を参考にして、バンドサーチでのバンド変化、周波数変化のスケジュールを決定し、決定したスケジュールに従って、バンドや周波数を変化させるものである。バンドサーチ順制御部７は、選択中のバンドに応じて受信回路選択スイッチ３を制御し、選択中の周波数に応じてバンド１受信回路４、バンド３受信回路５又はバンド１９受信回路６を制御する。
【００２９】
バンドサーチ順制御部７は、例えば、ＣＰＵと、ＣＰＵが実行するソフトウェアを中心として構成されており、受信レベルの情報を、例えば、当該バンドサーチ順制御部７内の入力段に設けられたアナログ／デジタル変換器を介して取り込み、選択制御信号等を、例えば、当該バンドサーチ順制御部７内の出力段に設けられたデジタル／アナログ変換器を介して送出する。
【００３０】
記憶部８は、直前在圏セル情報やセルリスト等を記憶するものである。上述したスケジュールに従って制御を、ソフトウェアの実行で行うようにしても良く、また、順序を書き出すことで行うようにしても良い。後者の場合であれば、記憶部８は、スケジュール情報も記憶する。
【００３１】
（Ａ−２）第１の実施形態の動作
次に、第１の実施形態に係る移動局１におけるバンドサーチに関連する動作を説明する。
【００３２】
まず、直前在圏セル情報の格納動作を、図２のフローチャートを参照しながら説明する。
【００３３】
バンドサーチ順制御部７は、当該移動局１が圏外状態に遷移した場合や当該移動局１の電源がオフ操作された場合に、図２に示す処理を開始し、それまで在圏していたセルにおけるバンド番号を、バンドサーチ用の直前在圏セル情報として記憶部８に書き込み（ステップＳ１００）、その後、図２に示す一連の処理を終了する。
【００３４】
次に、直前在圏セル情報を反映させたバンドサーチ動作を、図３のフローチャートを参照しながら説明する。
【００３５】
バンドサーチ順制御部７は、圏外状態に遷移した場合には、遷移した時点から所定時間だけ経過したときにバンドサーチ動作を起動するように、図示しないタイマによる計時を実行させ、所定時間の計時が終了したときに、図３に示す一連の処理を開始する。バンドサーチ動作は、当該移動局１の電源がオンされたときに実行する各種動作の一つに含まれており、電源オン時に、バンドサーチ順制御部７は、図３に示す一連の処理を開始する。
【００３６】
バンドサーチ順制御部７は、図３に示す一連の処理を開始するとまず、記憶部８から直前在圏セル情報を読出し（ステップＳ２００）、直前在圏セル情報におけるバンド番号を判別する（ステップＳ２０１）。
【００３７】
直前在圏セル情報におけるバンド番号がバンド１の番号であると、バンドサーチ順制御部７は、１番目にサーチするバンドＡとしてバンド３、２番目にサーチするバンドＢとしてバンド１９、３番目にサーチするバンドＣとしてバンド１を設定する（ステップＳ２０２）。また、直前在圏セル情報におけるバンド番号がバンド３の番号であると、バンドサーチ順制御部７は、１番目にサーチするバンドＡとしてバンド１、２番目にサーチするバンドＢとしてバンド１９、３番目にサーチするバンドＣとしてバンド３を設定する（ステップＳ２０３）。さらに、直前在圏セル情報におけるバンド番号がバンド１９の番号であると、バンドサーチ順制御部７は、１番目にサーチするバンドＡとしてバンド１、２番目にサーチするバンドＢとしてバンド３、３番目にサーチするバンドＣとしてバンド１９を設定する（ステップＳ２０４）。
【００３８】
すなわち、第１の実施形態では、直前在圏セル情報におけるバンドを最後にサーチするバンドになるように、バンドの遷移をスケジュールする。
【００３９】
以上のようにしてバンドについてのスケジュールを決定すると、バンドサーチ順制御部７は、１番目にサーチするバンドＡとして設定されたバンドの最小周波数から最大周波数の間を昇順に０．１ＭＨｚ単位で変化させながら、現在、在圏するセルに関する周波数をサーチする（ステップＳ２０５）。次に、２番目にサーチするバンドＢとして設定されたバンドの最小周波数から最大周波数の間を昇順に０．１ＭＨｚ単位で変化させながら、現在、在圏するセルに関する周波数をサーチする（ステップＳ２０６）。最後に、３番目にサーチするバンドＣとして設定されたバンドの最小周波数から最大周波数の間を昇順に０．１ＭＨｚ単位で変化させながら、現在、在圏するセルに関する周波数をサーチする（ステップＳ２０７）。
【００４０】
ステップＳ２０５〜Ｓ２０７でのサーチでは、バンドサーチ順制御部７は、その周波数での受信レベルを取込んで閾値と比較し、閾値以上の受信レベルの周波数を記憶部８に記憶することを行う。
【００４１】
以上のようにして全ての周波数に対するサーチが終了すると、バンドサーチ順制御部７は、所定の閾値以上の周波数を、現在、在圏するセルの割当て周波数の候補として検出し（ステップＳ２０８）、図３に示す一連の処理を終了する。
【００４２】
例えば、移動局１が、バンド１の周波数２１４０ＭＨｚのセルに在圏中に圏外状態に遷移したとする。この圏外状態に遷移したときに実行される図２に示す処理により、記憶部８には、直前在圏セル情報として「バンド１」が記憶される。
【００４３】
記憶部８に直前在圏セル情報として「バンド１」を記憶した圏外状態になった以降、移動局１は、在圏セルの周波数を検出できるまで、定期的に図３に示すバンドサーチ動作を起動する。図３に示す処理を開始すると、まず、記憶部８に記憶されている直前在圏セル情報「バンド１」が読み出されてバンド変化のスケジューリングが行われる。直前在圏セル情報が「バンド１」であるため、このスケジューリングによって、バンド変化は、バンド３−バンド１９−バンド１に決定される。各バンドが処理対象となったときには、そのバンドの最小周波数から最大周波数の間を昇順に０．１ＭＨｚ単位で変化させながら、現在、在圏するセルに関する周波数をサーチする。バンドサーチ時に在圏するセルが、圏外状態になったときのセルと同一であれば、バンド１における周波数２１４０ＭＨｚをサーチ対象としたときに、閾値を超えるような受信レベルが得られる。
【００４４】
（Ａ−３）第１の実施形態の効果
第１の実施形態によれば、圏外状態に遷移した際のセルのバンド、若しくは、電源オフ操作がなされた際のセルのバンドを、バンドサーチにおいて最も後でサーチするバンドとするようにしたので、平均的に見て、早期のバンドサーチにおける検出率を向上させ、圏内復帰の時間を早めることができるようになる。
【００４５】
従来方法の課題を説明したと同じ移動局の位置変化を例に、上記効果が得られることを説明する。図４は、このような効果の説明図であり、上述した図１０に対応している。
【００４６】
移動局ＭＶがトンネルＴＮに入ることで圏外になると、圏外になった時点ｔ１１の直後で、直前在圏セル情報として「バンド１」が記憶される。圏外になった時点ｔ１１から所定時間後に１回目のバンドサーチＢＳ１が開始される。このバンドサーチＢＳ１の初期動作として、バンド変化のスケジューリングが実行され、バンド３−バンド１９−バンド１に決定される。１回目のバンドサーチＢＳ１の開始時点ｔ１２では移動局ＭＶがトンネルＴＮ内であり、開始時点から、移動局ＭＶがトンネルＴＮを出る近傍の位置Ｐ１に位置する時点ｔ１３までは、基地局からの電波が届かず、最後に処理対象となるバンド１の周波数２１４０ＭＨｚがサーチ対象となる前には、基地局からの電波が届く状況（時点ｔ１３前後）になったとする。そのため、バンド１の２１４０ＭＨｚがサーチ周波数となったとき（時点ｔ１４）には、十分な受信レベルを得られる。そのため、１回目のバンドサーチ終了時点ｔ１５で圏内表示を実行でき、従来方法とは異なり、２回目のバンドサーチを実行することはない。
【００４７】
これにより、トンネルＴＮを出ると、早期に圏内表示（アンテナのピクト表示）を行うことができる。
【００４８】
（Ｂ）第２の実施形態
次に、本発明によるバンドサーチ装置及び方法、並びに、無線通信端末の第２の実施形態を、図面を参照しながら詳述する。
【００４９】
第２の実施形態のバンドサーチ装置を含む移動局（無線通信端末）１Ａも、その要部構成は、第１の実施形態の説明で用いた図１で表すことができる。但し、バンドサーチ順制御部７が実行する制御動作が、第１の実施形態とは異なっている。
【００５０】
第２の実施形態における直前在圏セル情報の格納動作を、図５のフローチャートを参照しながら説明する。
【００５１】
バンドサーチ順制御部７は、当該移動局１Ａが圏外状態に遷移した場合や当該移動局１Ａの電源がオフ操作された場合に、図５に示す処理を開始し、それまで在圏していたセルにおけるバンド番号及び利用していた周波数を、バンドサーチ用の直前在圏セル情報として記憶部８に書き込み（ステップＳ３００）、その後、図５に示す一連の処理を終了する。
【００５２】
次に、直前在圏セル情報を反映させた、第２の実施形態のバンドサーチ動作を、図６のフローチャートを参照しながら説明する。
【００５３】
バンドサーチ順制御部７は、図６に示す一連の処理を開始するとまず、記憶部８から直前在圏セル情報を読出し（ステップＳ４００）、直前在圏セル情報におけるバンド番号を判別する（ステップＳ４０１）。
【００５４】
直前在圏セル情報におけるバンド番号がバンド１の番号であると、バンドサーチ順制御部７は、１番目にサーチするバンドＡとしてバンド３、２番目にサーチするバンドＢとしてバンド１９、３番目にサーチするバンドＣとしてバンド１を設定する（ステップＳ４０２）。また、直前在圏セル情報におけるバンド番号がバンド３の番号であると、バンドサーチ順制御部７は、１番目にサーチするバンドＡとしてバンド１、２番目にサーチするバンドＢとしてバンド１９、３番目にサーチするバンドＣとしてバンド３を設定する（ステップＳ４０３）。さらに、直前在圏セル情報におけるバンド番号がバンド１９の番号であると、バンドサーチ順制御部７は、１番目にサーチするバンドＡとしてバンド１、２番目にサーチするバンドＢとしてバンド３、３番目にサーチするバンドＣとしてバンド１９を設定する（ステップＳ４０４）。
【００５５】
すなわち、第２の実施形態では、直前在圏セル情報におけるバンドを最後にサーチするバンドになるように、バンドの遷移をスケジュールする。
【００５６】
以上のようにしてバンドについてのスケジュールを決定すると、バンドサーチ順制御部７は、直前在圏セル情報における周波数を認識し、全てのバンドＡ〜Ｃのサーチの終了後に、直前在圏セル情報における周波数のサーチを行う設定を、スケジュールに追加する（ステップＳ４０５）。
【００５７】
以上のようにしてスケジュールが完全に決定されると、バンドサーチ順制御部７は、１番目にサーチするバンドＡとして設定されたバンドの最小周波数から最大周波数の間を昇順に０．１ＭＨｚ単位で変化させながら、現在、在圏するセルに関する周波数をサーチする（ステップＳ４０６）。次に、２番目にサーチするバンドＢとして設定されたバンドの最小周波数から最大周波数の間を昇順に０．１ＭＨｚ単位で変化させながら、現在、在圏するセルに関する周波数をサーチする（ステップＳ４０７）。さらに、３番目にサーチするバンドＣとして設定されたバンドの最小周波数から最大周波数の間を昇順に０．１ＭＨｚ単位で変化させながら、現在、在圏するセルに関する周波数をサーチする（ステップＳ４０８）。最後に、直前在圏セル情報における周波数をサーチする（ステップＳ４０９）。
【００５８】
以上のようにして全ての周波数に対するサーチが終了すると（直前在圏セル情報における周波数については、属するバンドが処理対象となっているときのサーチと、最後に実行されるサーチと２回サーチされる）、バンドサーチ順制御部７は、所定の閾値以上の周波数を、現在、在圏するセルの割当て周波数の候補として検出し（ステップＳ４１０）、図６に示す一連の処理を終了する。
【００５９】
例えば、移動局１Ａが、バンド１の周波数２１４０ＭＨｚのセルに在圏中に圏外状態に遷移したとする。この圏外状態に遷移したときに実行される図５に示す処理により、記憶部８には、直前在圏セル情報として「バンド１」及び「周波数２１４０ＭＨｚ」が記憶される。
【００６０】
記憶部８に直前在圏セル情報として「バンド１」及び「周波数２１４０ＭＨｚ」を記憶した圏外状態になった以降、移動局１Ａは、在圏セルの周波数を検出できるまで、定期的に図６に示すバンドサーチ動作を起動する。図６に示す処理を開始すると、まず、記憶部８に記憶されている直前在圏セル情報のうちのバンド情報「バンド１」が読み出されてバンド変化のスケジューリングが行われる。直前在圏セル情報が「バンド１」であるため、このスケジューリングによって、バンド変化は、バンド３−バンド１９−バンド１に決定される。
【００６１】
その後、記憶部８に記憶されている直前在圏セル情報のうちの周波数情報「周波数２１４０ＭＨｚ」が認識され、最後に、サーチする周波数として設定される。
【００６２】
以上のようにして、バンド３−バンド１９−バンド１−周波数２１４０ＭＨｚというスケジュールが決定されると、各周波数のサーチが実行される。まず、バンド３の最小周波数から最大周波数の間を昇順に０．１ＭＨｚ単位で変化させながら、現在、在圏するセルに関する周波数をサーチし、次に、バンド１９の最小周波数から最大周波数の間を昇順に０．１ＭＨｚ単位で変化させながら、現在、在圏するセルに関する周波数をサーチし、さらに、バンド１の最小周波数から最大周波数の間を昇順に０．１ＭＨｚ単位で変化させながら、現在、在圏するセルに関する周波数をサーチし、最後に、直前在圏セル情報に係る周波数２１４０ＭＨｚが現在、在圏するセルに関する周波数かのサーチが実行される。例えば、バンドサーチ順制御部７又は記憶部８には、バンド番号と、そのバンドの周波数範囲（最小周波数〜最大周波数）との対応関係が記述されており、最後に周波数２１４０ＭＨｚのサーチを行う際には、この周波数が属するバンドが認識され、認識されたバンドに係る受信回路４が有効にされる。
【００６３】
バンドサーチ時に在圏するセルが、圏外状態になったときのセルと同一であれば、少なくとも、バンド１に係るサーチで周波数が２１４０ＭＨｚが設定されたときのサーチと、最後の周波数２１４０ＭＨｚのサーチとで、閾値を超えるような受信レベルが得られる。
【００６４】
第２の実施形態によれば、圏外状態に遷移した際のセルのバンド及び周波数、若しくは、電源オフ操作がなされた際のセルのバンド及び周波数を、バンドサーチにおいて最も後でサーチするバンドや周波数とするようにしたので、平均的に見て、早期のバンドサーチにおける検出率を向上させ、圏内復帰の時間を早めることができるようになる。このような効果を、第１の実施形態以上に期待できる。
【００６５】
従来方法の課題を説明したと同じ移動局の位置変化を例に、第２の実施形態が第１の実施形態以上に、上記効果が得られることを説明する。図７は、このような効果の説明図であり、上述した図４に対応している。
【００６６】
トンネルを出たときのセルが圏外状態に遷移した際のセルと同一であっても、バンドサーチのタイミングが早く、直前在圏セル情報に係る「バンド１」に属するサーチ時（時点ｔ２１）では、セルの周波数を検出できなくても、最後の直前在圏セル情報に係る「周波数２１４０ＭＨｚ」のサーチ時（時点ｔ２２）にセルの周波数を検出できるようなこともあり、第２の実施形態の方が第１の実施形態以上に、１回のバンドサーチでセルの周波数を検出する可能性が大きくなっている。
【００６７】
（Ｃ）第３の実施形態
次に、本発明によるバンドサーチ装置及び方法、並びに、無線通信端末の第３の実施形態を、図面を参照しながら詳述する。
【００６８】
第３の実施形態のバンドサーチ装置を含む移動局（無線通信端末）１Ｂも、その要部構成は、第１の実施形態の説明で用いた図１で表すことができる。但し、バンドサーチ順制御部７が実行する制御動作が、第１や第２の実施形態とは異なっている。
【００６９】
第３の実施形態における直前在圏セル情報の格納動作を、図８のフローチャートを参照しながら説明する。
【００７０】
バンドサーチ順制御部７は、当該移動局１Ｂが圏外状態に遷移した場合や当該移動局１Ａの電源がオフ操作された場合に、図８に示す処理を開始し、それまで在圏していたセルが利用していた周波数を、バンドサーチ用の直前在圏セル情報として記憶部８に書き込み（ステップＳ５００）、その後、図８に示す一連の処理を終了する。
【００７１】
次に、直前在圏セル情報を反映させた、第３の実施形態のバンドサーチ動作を、図９のフローチャートを参照しながら説明する。
【００７２】
バンドサーチ順制御部７は、図９に示す一連の処理を開始するとまず、記憶部８から直前在圏セル情報を読出し（ステップＳ６００）、直前在圏セル情報に係る周波数ｆｎを認識する（ステップＳ６０１）。
【００７３】
そして、予め定められている周波数ｆ１〜ｆＮの変化順序の中から認識した周波数ｆｎ（ｎは１〜Ｎ）の順番を除外し（ステップＳ６０２）、その周波数ｆｎの順番を最後に設定する（ステップＳ６０３）。
【００７４】
以上のようにしてスケジュールを決定すると、バンドサーチ順制御部７は、サーチ順番が１番目の周波数ｆ１から最後の周波数ｆｎまでスケジュールした順番で変化させながら、現在、在圏するセルに関する周波数をサーチする（ステップＳ６０４）。
【００７５】
以上のようにして全ての周波数に対するサーチが終了すると、バンドサーチ順制御部７は、所定の閾値以上の周波数を、現在、在圏するセルの割当て周波数の候補として検出し（ステップＳ６０５）、図９に示す一連の処理を終了する。
【００７６】
例えば、移動局１Ｂが、バンド１の周波数２１４０ＭＨｚのセルに在圏中に圏外状態に遷移したとする。この圏外状態に遷移したときに実行される図８に示す処理により、記憶部８には、直前在圏セル情報として「周波数２１４０ＭＨｚ」が記憶される。
【００７７】
記憶部８に直前在圏セル情報として「周波数２１４０ＭＨｚ」を記憶した圏外状態になった以降、移動局１Ｂは、在圏セルの周波数を検出できるまで、定期的に図９に示すバンドサーチ動作を起動する。ここで、説明の簡単化のため（実際のバンド割当てとは異なっている）、予め定まっている周波数変化の順番が２１１０ＭＨｚ−２１２０ＭＨｚ−２１４０ＭＨｚ−２１６０ＭＨｚ−１８１０ＭＨｚ−１８３０ＭＨｚ−１８５０ＭＨｚ−１８７０ＭＨｚ−８７０ＭＨｚ−８８０ＭＨｚであったとする。
【００７８】
読み出した直前在圏セル情報が「周波数２１４０ＭＨｚ」であるため、この周波数変化の順番から周波数２１４０ＭＨｚを除外し、この周波数２１４０ＭＨｚを順番の最後につなげる。これにより、バンドサーチでの周波数変化の順番は、２１１０ＭＨｚ−２１２０ＭＨｚ−２１６０ＭＨｚ−１８１０ＭＨｚ−１８３０ＭＨｚ−１８５０ＭＨｚ−１８７０ＭＨｚ−８７０ＭＨｚ−８８０ＭＨｚ−２１４０ＭＨｚに変更されたこととなる。
【００７９】
以上のように変更されたバンドサーチでの周波数変化の順番に従い、各周波数のサーチが実行される。すなわち、最後に、直前在圏セル情報に係る周波数２１４０ＭＨｚが現在、在圏するセルに関する周波数かのサーチが実行される。第３の実施形態でも、例えば、バンドサーチ順制御部７又は記憶部８には、バンド番号と、そのバンドの周波数範囲（最小周波数〜最大周波数）との対応関係が記述されており、各周波数のサーチを行う際には、この周波数が属するバンドが認識され、認識されたバンドに係る受信回路４、５又は６が有効にされる。
【００８０】
バンドサーチ時に在圏するセルが、圏外状態になったときのセルと同一であれば、最後の周波数２１４０ＭＨｚのサーチで閾値を超えるような受信レベルが得られる。
【００８１】
第３の実施形態によれば、圏外状態に遷移した際のセルの周波数、若しくは、電源オフ操作がなされた際のセルの周波数を、バンドサーチにおいて最も後でサーチする周波数とするようにしたので、平均的に見て、早期のバンドサーチでの検出率を向上させ、圏内復帰の時間を早めることができるようになる。
【００８２】
（Ｄ）他の実施形態
上記各実施形態の説明においても種々変形実施形態に言及したが、さらに、以下に例示するような変形実施形態を挙げることができる。
【００８３】
上記各実施形態では、３バンド対応の移動局を示したが、移動局が対応できるバンドの数は３バンドに限定されない。例えば、対応可能なバンドが１つであっても良い。この場合には、第１及び第２の実施形態で説明した技術思想は適用できないが、第３の実施形態で説明した技術思想を適用することができる。
【００８４】
上記各実施形態では、バンドサーチ動作における最初の処理としてスケジューリングを行うものを示したが、バンドサーチ動作から、スケジューリング処理を切り離すようにしても良い。例えば、直前在圏セル情報を格納した直後にスケジューリング処理を実行するようにしても良い。ここで、スケジューリング処理の実行後に直前在圏セル情報を消去するようにしても良い。また、バンドサーチ動作からも、直前在圏セル情報の格納動作からも切り離した処理として、スケジューリング処理を行うようにしても良い。例えば、スケジューリング処理を単独の動作とすることにより、若しくは、直前在圏セル情報の格納直後の動作とすることにより、バンドサーチ動作が繰り返し実行されるような状況においても、スケジューリングは１回だけで済むことになる。
【００８５】
上記各実施形態では、スケジューリングに影響する情報が直前在圏セル情報であるものを示したが、これに加え、他の情報をもスケジューリングに影響を与えるようにしても良い。例えば、移動局が、在圏しているセルの情報に加え、ハンドオーバを円滑に行うべく周辺セルの情報（バンドや周波数）を管理している場合には、周辺セル情報をもスケジューリングに反映させるようにしても良い。例えば、直前在圏セル情報に係るバンドや周波数のサーチを最も遅くし、周辺セル情報に係るバンドや周波数のサーチを次に遅くするようにスケジューリングすれば良い。
【００８６】
上記各実施形態においては、電源オフに伴うバンドサーチと、圏外状態への遷移に伴うバンドサーチとを区別することなく、同じバンドサーチ方法を適用したものを示したが、電源オフに伴うバンドサーチと、圏外状態への遷移に伴うバンドサーチとで、バンドサーチ方法を変更するようにしても良い。例えば、電源オフに伴うバンドサーチでは従来のバンドサーチ方法を適用し、圏外状態への遷移に伴うバンドサーチでは第１〜第３の実施形態のバンドサーチ方法のいずれかを適用するようにしても良い。
【００８７】
また、バンドサーチを行うこととなった事象（電源オフ若しくは圏外状態への遷移）が生じた時点からの変化時間に応じて、バンドサーチ方法を切り替えるようにしても良い。例えば、事象が生じた時点から所定時間を経過する前に行うバンドサーチでは第１〜第３の実施形態のバンドサーチ方法のいずれかを適用し、事象が生じた時点から所定時間を経過した以降に行うバンドサーチでは従来のバンドサーチ方法を適用するようにしても良い。
【００８８】
上記各実施形態では、スケジュール処理後の周波数探索で、閾値以上の受信レベルの周波数があっても全ての周波数をサーチするものを示したが、上記各実施形態と同様にしてスケジューリングされた周波数探索において、閾値以上の受信レベルの周波数があり、その周波数について在圏セルに情報を確定できたときに、スケジュールで設定された他の周波数が残っていても、他の周波数でのサーチを止めるようにしても良い。このような場合のバンドサーチであれば、直前在圏セル情報に係る周波数でのサーチを遅くすることに加え、バンドサーチの早いタイミングでもサーチするようにしても良い。
【００８９】
第１及び第２の実施形態では、同一バンドに属する周波数の変化を昇順で行う場合を示したが、降順で行うようにしても良いことは勿論である。
【００９０】
ここで、第２の実施形態に対する変形例としては、昇順及び降順のうち、直前在圏セル情報に係る周波数でのサーチが遅くなる方を採用するようにしても良い。例えば、バンドの中心周波数と直前在圏セル情報に係る周波数との比較により、昇順の方が遅くなるか降順の方が遅くなるか判定することができる。
【００９１】
上記第２の実施形態では、直前在圏セル情報における周波数について、属するバンドが処理対象となっているときのサーチと、最後に実行されるサーチとの２回サーチするものを示したが、前者のサーチを実行しないように構成しても良い。
【００９２】
上記第３の実施形態では、直前在圏セル情報における周波数について予め定まっている順番を除外して、その周波数のサーチを最後に行うものを示したが、直前在圏セル情報における周波数について、予め定まっている順番でのサーチと、最後に行うサーチとの２回のサーチを行うようにしても良い。
【符号の説明】
【００９３】
１、１Ａ、１Ｂ…移動局（無線通信端末）、２…アンテナ、３…受信回路選択スイッチ、４…バンド１受信回路、５…バンド３受信回路、６…バンド１９受信回路、７…バンドサーチ順制御部、８…記憶部。
【図１】
2015201818.tif 000003
【図２】
2015201818.tif 000004
【図３】
2015201818.tif 000005
【図４】
2015201818.tif 000006
【図５】
2015201818.tif 000007
【図６】
2015201818.tif 000008
【図７】
2015201818.tif 000009
【図８】
2015201818.tif 000010
【図９】
2015201818.tif 000011
【図１０】
2015201818.tif 000012